(57)【要約】【課題】火災時の防火性能を安定させつつ、作業性・コスト性のよい軒裏天井の換気技術を提供することにある。【解決手段】支持金具１ａを用いて軒裏の天井板６０が支持固定される軒裏天井の換気構造であって、天井板６０を挿入する挿入部１２及び屋外から換気穴２６を通り天井裏へ抜ける換気用通気路２０を有し、外壁７０に固定される支持金具本体１０に、熱により膨張して換気用通気路２０を塞ぐ熱膨張材５０を保持する熱膨張材保持部材３０ａを取付自在とする。熱膨張材保持部材３０ａは、熱膨張材５０を押圧して保持する押圧片３６ａと、支持金具本体１０に設けられた取付穴１４１へ差し込んで係止する差込片３２ａとを備える。【選択図】  図２
2004218338.tif 000002
【特許請求の範囲】
【請求項１】
支持金具を用いて軒裏の天井板が支持固定される軒裏天井の換気構造であって、
天井板を挿入する挿入部及び屋外から換気穴を通り天井裏へ抜ける換気用通気路を有し、外壁に固定される支持金具本体に、
熱により膨張して換気用通気路を塞ぐ熱膨張材を保持する熱膨張材保持部材を取付自在とする軒裏天井の換気構造。
【請求項２】
熱膨張材保持部材は、熱膨張材を押圧して保持する押圧片と、
支持金具本体に設けられた取付穴へ差し込んで係止する差込片とを備えた請求項１記載の軒裏天井の換気構造。
【請求項３】
熱膨張材保持部材が熱膨張材を換気穴よりも上方へ位置させる請求項１又は２記載の軒裏天井の換気構造。
【発明の詳細な説明】
【０００１】
【発明の属する技術分野】
本発明は、建物における屋根の軒先端と建物外壁との間やバルコニーの裏の空所部分に天井板を取り付ける軒裏天井の換気構造、それに用いられる支持金具及び熱膨張材保持部材に関するものである。
【０００２】
【従来の技術】
従来、この種の軒裏天井の換気構造としては、例えば特許文献１に示すものが公知である。この換気構造に使用される支持金具は、天井板の端部を差し込めるように断面略コ字状の挿入凹部が設けられている。また、支持金具の上下面には、軒裏空間部へ通気可能なように多数のスリットを設けた換気穴が設けられ、換気穴及び換気用通気路を通して屋外と軒裏空間部との通気が可能となっている。
【０００３】
また、上記支持金具には、換気穴近くに熱により燃焼することなく膨張する熱膨張材を設け、火災時に膨張して換気用通気路を塞ぐため、屋外から換気口を通して火炎や火の粉が侵入しないように構成している。
【０００４】
【特許文献１】
特開平６−７３８２８号公報
【０００５】
【発明が解決しようとする課題】
ところで、この熱膨張材は、支持金具内の換気用通路を塞ぐ位置に、従来は両面テープや接着剤を用いて貼り付け固定している。
【０００６】
しかし、熱膨張材を両面テープや接着剤を用いて固定する場合、この熱膨張材に両面テープまたは接着剤を施し、その後支持金具内の取付位置に位置合わせをしながら固定するという作業をしなければならない。
【０００７】
この熱膨張材は、一般に支持金具の内部分の奥まった位置に取り付けられるため、その貼り付けの際に位置がずれやすく、位置合わせに非常に手間のかかる作業であった。特に、熱膨張材が位置のずれた状態で貼り付けられた場合、火災時に所定の位置で発泡しないため、発泡しても換気穴部分を完全に塞ぐことができず、所望の防火性能を発揮しない可能性があった。また、熱膨張材に両面テープや接着剤を施して固定するという作業は、工数がかかり手間とコストアップの原因にもなっていた。
【０００８】
さらに、一般的に防火区画では熱膨張材などにより支持金具の通気穴を塞ぐ必要があるが、非防火区画では塞ぐ必要はない。このため、防火区画と非防火区画が混在する現場の場合には、２つのタイプの支持金具を用意しなければならず、保管が煩わしく、両者を混同し誤って施工してしまう可能性もあった。
【０００９】
本発明は、上記事情に鑑みてなされたもので、火災時の防火性能を安定させつつ、作業性・コスト性のよい軒裏天井の換気技術を提供することを目的とする。
【００１０】
【課題を解決するための手段】
上記目的を達成するために、第一の発明は、支持金具を用いて軒裏の天井板が支持固定される軒裏天井の換気構造であって、天井板を挿入する挿入部及び屋外から換気穴を通り天井裏へ抜ける換気用通気路を有し、外壁に固定される支持金具本体に、熱により膨張して換気用通気路を塞ぐ熱膨張材を保持する熱膨張材保持部材を取付自在とすることを特徴とする。
【００１１】
また、第二の発明は、その熱膨張材保持部材が、熱膨張材を押圧して保持する押圧片と、支持金具本体に設けられた取付穴へ差し込んで係止する差込片とを備えたことを特徴とし、第三の発明は、その熱膨張材保持部材が熱膨張材を換気穴よりも上方へ位置させることを特徴とする。
【００１２】
【作用】
第一の発明によれば、支持金具を用いて軒裏の天井板が支持固定される軒裏天井の換気構造にあって、天井板を挿入する挿入部及び屋外から換気穴を通り天井裏へ抜ける換気用通気路を有し、外壁に固定される支持金具本体に、熱により膨張して換気用通気路を塞ぐ熱膨張材を保持する熱膨張材保持部材を取付自在とすることで、熱膨張材を必要とする箇所にのみ、熱膨張材保持部材が用いられることになる。
【００１３】
第二の発明によれば、熱膨張材保持部材が、熱膨張材を押圧して保持する押圧片と、支持金具本体に設けられた取付穴へ差し込んで係止する差込片とを備えたことで、押圧片によって熱膨張材が確実に保持され、また、差込片によって支持金具本体への取り付けが自在となる。
【００１４】
第三の発明によれば、熱膨張材保持部材が熱膨張材を換気穴よりも上方へ位置させることで、換気穴のない部分に熱膨張材が膨張し、換気用通気路を確実に塞ぐことになる。
【００１５】
【実施の形態】
本発明の実施形態を図面に基づいて説明する。図１〜図４は第一実施形態を、図５と図６は第二実施形態を、図７は第三実施形態を、図８は第四実施形態を、図９と図１０は第五実施形態をそれぞれ示している。
【００１６】
図１〜図４に示す第一実施形態を説明する。支持金具１ａは、図１に示すように支持金具本体１０と熱膨張材保持部材３０ａとで構成され、図２に示すように熱膨張材保持部材３０ａを支持金具本体１０に取り付けて使用される。まず、支持金具本体１０は、不燃性の軒裏の天井板６０を挿入できる挿入凹部１２と、外気が通る換気用通気路２０と、横列状に複数個の換気穴２６，２６，…が設けられた支持片２５とで構成されている。
【００１７】
上記挿入凹部１２は、斜め下向きに短く張り出す短片１３と長く張り出す長片１４とで上面を略ヘ字形に形成し、この長片１４の下方端部に垂下する第一垂下片１５を介して上面下へ折り返して水平に延びる下片１６を形成し、この短片１３と長片１４と第一垂下片１５と下片１６とで挿入凹部１２が構成されている。
【００１８】
上記下片１６の反第一垂下片１５側端部は、垂下する第二垂下片１７を介して下片１６下に折り返して水平に延び、且つ下片１６より若干長目の底面１８が形成される。さらに、この反第二垂下片１７側端部に屈曲片２７を介して垂直状に延びる支持片２５が形成されている。この支持片２５には、横列状に複数個の換気穴２６，２６，…とその上方に複数個の外壁固定用穴２８，２８，…とが穿ってある。また、この第一垂直片１５と支持片２５との間は、その換気穴２６，２６，…を通って通気で換気できる換気用通気路２０が形成される。
【００１９】
一方、熱膨張材保持部材３０ａは、断面略Ｌ字形をしており、支持金具本体１０に当接する当接部３１ａと、熱膨張材５０を保持する保持部３５ａとを形成する。当接部３１ａには差込片３２ａを、保持部３５ａには熱膨張材５０を押圧するための押圧片３６ａを有する。そして、差込片３２ａを支持金具本体１０の長片１４に設けられた取付穴１４１に差し込んで係止することで、熱膨張材保持部材３０ａが支持金具本体１０に取り付けられる。また、熱膨張材５０は、保持部３５ａの押圧片３６ａに押圧されて保持される。
【００２０】
図３は、熱膨張材保持部材３０ａの曲げ加工前の展開図である。横長な矩形状の金属薄板１１ａに、切欠３７ａを数カ所設けている。そして、破線３８ａを軸にして、断面略Ｌ字形となるように金属薄板１１ａを長手方向二つ折りにする。また、切欠３７ａ，３７ａによって形成された凸部３９ａを折曲することで、押圧片３６ａ、差込片３２ａが形成される。
【００２１】
ここで、熱膨張材５０は、熱により燃焼することなく膨張して換気用通気路２０を塞ぐことができる性能があればよい。例えば、膨張黒鉛系の防炎、防煙用のシール材があり、通過熱風温度が１５０〜１７０℃で約１０倍に膨張する膨張材が挙げられる。この他、バーミキュライトとセラミックファイバーのシール材や膨張黒鉛系とアルミナ三水和物のシール材、ゴム系のシール材などが挙げられ、換気用通気路４の形状等により発砲倍率も４〜３０倍程度のものを適宜利用できる。例えば、積水化学工業（株）の商品名フィブロック、住友スリーエム（株）の商品名ウルトラＧＳ、ニチアス（株）の商品名バーモフレックスなどを利用できる。
【００２２】
次に、上記支持金具１ａの使用方法を説明する。まず、押圧片３６ａによって熱膨張材５０を保持させた熱膨張材保持部材３０ａを支持金具本体１０ａに取り付け、支持金具１ａを完成させる。次に、図４に示すように、天井板６０の位置に合わせて建物外壁７０の所定箇所へ支持金具１ａを固定する。その固定方法は、支持片２５の外壁固定用穴２８，２８，…にネジや鋲などの締結材７１を使って固定させたものであるが、これに限られるものではない。そして、支持金具１ａの挿入凹部１２に天井板６０の端部を挿入させることによって、軒裏天井の換気構造が構成できる。
【００２３】
このような状態で火災が発生すると、熱風が換気用通気路２０を通って、熱膨張材５０に当たり、熱膨張材５０が膨張を開始する。すると、図４の一点鎖線に示すように膨張した熱膨張材５０が、換気用通気路２０を封鎖することになる。このため、屋外から換気穴２６を通して火炎や火の粉が侵入することを防止できる。
【００２４】
図５と図６に示す第二実施形態を説明する。第二実施形態は、支持金具１ｂの熱膨張材保持部材３０ｂの取り付け箇所を変えたものである。すなわち、熱膨張材保持部材３０ｂの当接部３１ｂを支持金具本体１０の挿入凹部１２を形成する第一垂下片１５へ取り付けたものである。その取り付け方は、熱膨張材保持部材３０ｂの差込片３２ｂを第一垂下片１５に設けられた差込穴１５１に差し込んで係止する。これによっても、熱膨張材５０の位置は、第一実施形態の場合と変わらない。また、その他については、第一実施形態の場合と同様であるから、その説明を省略する。なお、熱膨張材保持部材を取り付ける箇所は、第一実施形態及び第二実施形態に示すものに限られるものではない。
【００２５】
図７に示す第三実施形態について説明する。第三実施形態は、第一実施形態の熱膨張材保持部材３０ａをセパレートにしたものである。すなわち、実施金具１ｃの熱膨張材保持部材３０ｃ，３０ｃ，…はそれぞれ独立しており、押圧片３６ｃと差込片３２ｃを一つずつ備えた複数の熱膨張材保持部材３０ｃを支持金具本体１０ｃの長片１４ｃに取り付けたものである。その他については、第一実施形態の場合と同様であるから、その説明を省略する。
【００２６】
図８に示す第四実施形態について説明する。第四実施形態は、第二実施形態の熱膨張材保持部材３０ｂをセパレートにしたものである。すなわち、実施金具１ｄの熱膨張材保持部材３０ｄ，３０ｄ，…はそれぞれ独立しており、押圧片３６ｄと差込片３２ｄを一つずつ備えた複数の熱膨張材保持部材３０ｄを支持金具本体１０ｄの第一垂下片１５ｄに取り付けたものである。その他については、第一実施形態の場合と同様であるから、その説明を省略する。
【００２７】
図９と図１０に示す第五実施形態について説明する。第五実施形態は、第四実施形態の熱膨張材保持部材３０ｄの取り付け方を変形したものである。すなわち、支持金具１ｅの支持金具本体１０の挿入凹部１２を構成する長片１４の第一垂下片１５寄りに挿通穴１４２を設けて、熱膨張材保持部材３０ｅの当接部３１ｅを挿通させる。そして、挿通した当接部３１ｅを第一垂下片１５に取り付けたものである。その他については、第一実施形態の場合と同様であるから、その説明を省略する。
【００２８】
【発明の効果】
本発明によれば、次のような効果を有する。
▲１▼  熱膨張材を必要とする箇所に、熱膨張材を保持した熱膨張材保持部材を取り付ければよいので、支持金具はシンプルな構造にできる。このため、コスト低減にもつながる。
▲２▼  熱膨張材保持部材の差込片を支持金具本体の取付穴へ差し込むことで、熱膨張材保持部材を取り付けられるので、支持金具の施工作業の効率化が図られる。
▲３▼  熱膨張材保持部材が支持金具本体へ確実に取り付けられることで、これに保持される熱膨張材の位置ずれを防止でき、所望の防火性能を発揮することができる。
▲４▼  熱膨張材保持部材が熱膨張材を換気穴よりも上方へ位置させることで、換気用通気路を確実に塞ぐことができ、防火性能が向上する。
【図面の簡単な説明】
【図１】本発明の第一実施形態を示す分解斜視図。
【図２】本発明の第一実施形態を示す一部切欠斜視図。
【図３】本発明の第一実施形態の熱膨張材保持部材を示す展開図。
【図４】本発明の第一実施形態を示す断面図。
【図５】本発明の第二実施形態を示す一部切欠斜視図。
【図６】本発明の第二実施形態を示す断面図。
【図７】本発明の第三実施形態を示す一部切欠斜視図。
【図８】本発明の第四実施形態を示す一部切欠斜視図。
【図９】本発明の第五実施形態を示す一部切欠斜視図。
【図１０】本発明の第五実施形態を示す断面図。
【符号の説明】
１ａ  支持金具          １０    支持金具本体
１２    挿入部            １４１  取付穴
２０    換気用通気路      ２６    換気穴
３０ａ  熱膨張材保持部材  ３２ａ  差込片
３６ａ  押圧片            ５０    熱膨張材
６０    天井板            ７０    外壁
【図１】
2004218338.tif 000003
【図２】
2004218338.tif 000004
【図３】
2004218338.tif 000005
【図４】
2004218338.tif 000006
【図５】
2004218338.tif 000007
【図６】
2004218338.tif 000008
【図７】
2004218338.tif 000009
【図８】
2004218338.tif 000010
【図９】
2004218338.tif 000011
【図１０】
2004218338.tif 000012